(57)【要約】【課題】利用者に不快感を与えにくいベビーベッドを提供する。【解決手段】ベビーベッド１は、床板と、床板の四辺に取付けられて床板の上方に空間を形成する囲い部材４と、囲い部材の上部に滑走可能に取付けられた上部部材５と、前側の囲い部材を構成すると共に略垂直方向に滑走可能な前側囲い部材６と、囲い部材に形成された開口部に取付けられて開口部を覆う、内部を透視可能なネット７と、床板上に敷かれた敷き布団８と、車輪９と、車輪のうち２つはキャスターであってキャスターに取付けられたストッパー１０と、床板を揺動させるモータに信号を送ってモータを駆動させるタッチパネル式のコントローラ１１と、床板の下方に位置しモータ等を収納する収納体１２と、非常時に揺動を緊急停止する非常停止ボタン１２Ａとを備える。揺動している状態から所定パターンの揺動停止動作に入ると、段階的に減速していく。【選択図】図１
2009131469.tif 000002
【特許請求の範囲】
【請求項１】
床板と、該床板を揺動させる揺動手段とを備えるベビーベッドであって、
前記揺動手段は、所定パターンに制御した後に前記床板の揺動を停止させる
ことを特徴とするベビーベッド。
【請求項２】
前記所定パターンは、経時的に揺動速度が減少する複数の段階を有する
ことを特徴とする請求項１に記載のベビーベッド。
【請求項３】
利用者の人体情報を感知して前記揺動手段による揺動を開始させるセンサを備え、
該センサによる感知から所定時間が経過するまでの前記揺動手段の揺動周期が、前記所定時間が経過後の前記揺動手段の揺動周期よりも短い
ことを特徴とする請求項１に記載のベビーベッド。
【請求項４】
前記センサは、音を感知して前記揺動手段による揺動を開始させる音センサである
ことを特徴とする請求項３に記載のベビーベッド。
【請求項５】
揺動中に前記センサが人体情報を感知した場合、前記所定時間が最初から計時される
ことを特徴とする請求項３に記載のベビーベッド。
【請求項６】
前記床板に取付けられて前記床板の上方に空間を形成する囲い部材と、
該囲い部材の上部に滑走可能に取付けられた上部部材と、
前記囲い部材に形成された開口部に取付けられて同開口部を覆う、内部を透視可能な柔軟部材とを備え、
前記囲い部材の少なくとも１つは略垂直方向に滑走可能であり、
前記囲い部材の少なくとも１つの高さは、他の囲い部材の高さよりも低い
ことを特徴とする請求項１に記載のベビーベッド。
【発明の詳細な説明】
【技術分野】
【０００１】
本発明はベビーベッドに関する。詳しくは、揺動式のベビーベッドに係るものである。
【背景技術】
【０００２】
近年、我が国では、経済活動や社会保障制度を崩壊させる「少子化」が深刻な問題となっている。このような少子化問題を解決するためには、安心して子供を産み育てることができる社会を構築することが必要であるが、育児特に夜泣きする乳児をあやすことは、親にとって大きな負担となっている。
【０００３】
乳児の睡眠は生後３ヶ月まで特に不安定であり、この時期は夜泣きしやすい時期と言われている。また、長時間あやして、ようやく乳児が眠ってくれたかと思った途端、また火がついたように泣き始めることもあり、親の一晩中眠れない疲労困憊の日々が続いて、その疲労とストレスにより乳児の世話に集中することが困難となり、更なる夜泣きにつながってしまうという悪循環を生じてしまう。
【０００４】
そこで、このような親の負担を軽減するために、親の代わりに乳児を揺らしてあやしてくれる様々な発明が提案されている。例えば、図６に示す乳児用ベッドに関する特許文献１には、土台１０１の上にベッド載置台１０２を載せ、昇降用のガイド１１８とガイドに通す鉛直なスライドポスト１０６のうち一方を土台１０１に、他方をベッド載置台１０２に設け、土台１０１に止めたモータ１０８の水平な出力軸１０９にアーム１１０を介してローラー１１１を偏心位置に固定し、ローラー１１１が押し上げる支持バー１１９をベッド載置台１０２に設け、出力軸１０９を中心にして公転するローラー１１１の上下動によってベッド載置台１０２を昇降させる乳幼児ベッドが記載されている。また、ベッド載置台１０２の上に、敷き布団が敷かれた容器状のベッド１２２が載せられる。
また、特許文献１には、モータ１０８は、ｏｎ／ｏｆｆ用のスイッチと、タイマー機能を備えた制御部を有し、スイッチをｏｎすると、制御部がタイマー機能によって数分間モータ１０８を連続運転し、その後、強制的にモータ１０８の運転を停止する旨記載されている。
【０００５】
【特許文献１】特開２００６−３２５６６６号公報
【発明の開示】
【発明が解決しようとする課題】
【０００６】
しかしながら、従来の乳児用ベッドでは、モータが強制的に停止し、揺れが定加速度で減速して自然に止まっていたが、例えばブランコの揺れが自然に止まるように加速度の値が小さければ、乳児が揺れによって心地よく感じていた状態を害さずにすむものの、モータ等を用いた複雑な機構を有する機械製品の場合、一般的に加速度は大きくなり、すぐに止まってしまう。乳児は揺動を心地よく感じるため、この心地よい揺動が突然止まると、不快感を覚えてしまい、すぐに泣いてしまうということが問題となる。
【０００７】
本発明は、以上の点に鑑みて創案されたものであり、利用者に不快感を与えにくいベビーベッドを提供することを目的とする。
【課題を解決するための手段】
【０００８】
上記の目的を達成するために、本発明のベビーベッドは、床板と、該床板を揺動させる揺動手段とを備えるベビーベッドであって、前記揺動手段は、所定パターンに制御した後に前記床板の揺動を停止させることを特徴とする。
【０００９】
ここで、揺動手段は、所定パターンに制御した後に床板の揺動を停止させることによって、揺動の突然停止を防止できる。
【００１０】
また、本発明のベビーベッドにおいて、所定パターンは、経時的に揺動速度が減少する複数の段階を有する場合、揺動の変化を利用者に感じさせにくくすることができる。
【００１１】
また、本発明のベビーベッドにおいて、利用者の人体情報を感知して揺動手段による揺動を開始させるセンサを備え、センサによる感知から所定時間が経過するまでの揺動手段の揺動周期が、所定時間が経過後の揺動手段の揺動周期よりも短い場合、利用者の状態の変化例えば夜泣きを感知してすぐに揺動速度を速めることで、泣くことを止めさせ、そして揺動速度を遅くすることで心地よい揺れ状態にすることができる。
なお、ここでいう「利用者」は、例えば一歳に満たない子供である乳児を含む。また、ここでいう「人体情報」には、例えば体温、体の動き、声が含まれる。
【００１２】
また、本発明のベビーベッドにおいて、センサは、音を感知して揺動手段による揺動を開始させる音センサである場合、例えば乳児の泣き声を感知して揺動させることができ、不快の感情を泣き声で表現する乳児に対して効果的である。
【００１３】
また、本発明のベビーベッドにおいて、床板に取付けられて床板の上方に空間を形成する囲い部材と、囲い部材の上部に滑走可能に取付けられた上部部材と、囲い部材に形成された開口部に取付けられて開口部を覆う、内部を透視可能な柔軟部材とを備え、囲い部材の少なくとも１つは略垂直方向に滑走可能であり、囲い部材の少なくとも１つの高さは、他の囲い部材の高さよりも低い場合、囲い部材に形成された開口部に取付けられて開口部を覆う、内部を透視可能な柔軟部材によって、乳児がぶつかっても柔らかいので怪我をする可能性が低く、内部を透視可能なので母親も乳児の様子を外部から見ることができて安心である。
また、囲い部材の少なくとも１つの高さは、他の囲い部材の高さよりも低いので、低い方の囲い部材側から乳児をベッドに容易に乗せたり、ベッドから降ろしたりできる。
また、囲い部材の少なくとも１つは略垂直方向に滑走可能なので、囲い部材を略垂直下向きへ滑走させて、乳児をベッドに更に容易に乗せたり、ベッドから降ろしたりできる。
【発明の効果】
【００１４】
本発明に係るベビーベッドは、利用者に不快感を与えにくい。
【発明を実施するための最良の形態】
【００１５】
以下、本発明の実施の形態について図面を参照しながら説明し、本発明の理解に供する。
図１は、本発明を適用したベビーベッドを説明する概略図である。本発明のベビーベッド１は、利用者例えば一歳に満たない子供である乳児の身体を支える床板（図示せず。）と、床板（図示せず。）の四辺に取付けられて床板の上方に空間を形成する囲い部材４と、囲い部材の上部に滑走可能に取付けられた上部部材５と、四辺に取付けられた囲い部材のうち前側の囲い部材を構成すると共に略垂直方向に滑走可能な前側囲い部材６と、囲い部材に形成された開口部に取付けられて同開口部を覆う、内部を透視可能なネット（柔軟部材の一例である。）７と、床板上に敷かれた敷き布団８と、４つの車輪９と、４つの車輪のうち２つはキャスターであってキャスターに取付けられたストッパー１０と、床板（図示せず。）を揺動させるモータ（図示せず。）に信号を送ってモータ（図示せず。）を駆動させるタッチパネル式のコントローラ１１と、床板（図示せず。）の下方に位置しモータ（図示せず。）等を収納する収納体１２と、非常時に揺動を緊急停止する非常停止ボタン１２Ａとを備える。また、前側囲い部材６の高さは、前側囲い部材６に対向する囲い部材４の高さよりも低い。
【００１６】
ここで、囲い部材に形成された開口部にネットが取付けられているが、必ずしも開口部を形成してネットを取付けなくてもよく、例えば、床板上の空間を密閉しなければ、囲い部材自体を柔らかい材質のもので構成するようにしてもよい。
【００１７】
図２は、本発明を適用したベビーベッドの概略断面図である。床板２の上には、すのこ１４が載置され、更にその上に敷き布団８が敷かれる。また、床板２の下方には、床板２を、モータプレート３Ｃ、回転リンク１５、揺動コロ１５Ａ及び揺動プレート１５Ｂを介して揺動及び揺動停止させるモータ（揺動手段の一例である。）３と、インバータ３Ｂと、乳児の泣き声を感知する泣き声センサ１６と、泣き声センサやコントローラからの信号を適切に処理してインバータに指令を出し、モータを駆動させるプログラマブルコントローラ３Ａとが収納体１２内に収納されている。また、囲い部材４の上部には、コンデンサーマイク１３が取付けられており、乳児の泣き声等の音を集音する。
【００１８】
ここで、プログラマブルコントローラ３Ａは、泣き声センサ１６及びタッチパネル式のコントローラ１１からの信号を適切に処理し、インバータ３Ｂに指令を出してモータ３を駆動させるが、モータ軸が回転すれば、モータ軸に直接接続されている回転リンク１５が回転し、回転リンク１５に取付けられている揺動コロ１５Ａが揺動プレート１５Ｂを押すことにより、揺動プレート１５Ｂに加えられた力が床板２を揺動させる。床板２の揺動に伴い、囲い部材４も揺動する。
【００１９】
次に、揺動開始から揺動停止までについて説明する。
まず、乳児の泣き声のような所定の値より大きな音を３秒間続けてコンデンサーマイク１３が集音すると、泣き声センサ１６はその音を泣き声と判断して感知する。次に、泣き声センサ１６から信号がプログラマブルコントローラ３Ａに伝えられる。そして、プログラマブルコントローラ３Ａからインバータ３Ｂへ指令が出されてモータ３を駆動させ、床板２を揺動させる。
【００２０】
泣き声センサ１６による感知から所定時間例えば３０秒間は、予め設定している速度よりも２段階速い（揺動周期が短い）速度で揺動する。そして、泣き声センサ１６による感知から３０秒が経過すると、予め設定している速度で揺動する。
ここで、揺動中に泣き声センサ１６が泣き声を感知した場合、所定時間は最初から計時される。即ち、再度３０秒間、２段階速度を速くして揺動する。このとき、予め設定している揺動時間もリセットされて最初から計時される。即ち、予め例えば１５分間に揺動時間を設定した状態で揺動していた途中に泣き声が感知されると、揺動残り時間は１５分に戻ったうえで、３０秒間、２段階速い速度で揺動動作を行う。
【００２１】
そして、泣き声センサ１６による感知から予め設定された所定時間（揺動時間）例えば１〜１５分が経過した後、所定パターンの揺動停止動作に入る。この揺動時間は、任意に設定できる。
揺動速度は、例えば９段階で設定が可能である。モータは回転速度（ｒｐｍ）で制御されているが、周期に換算すれば、例えば、３．５３秒、２．８６秒、２．４０秒、２．０７秒、１．８２秒、１．６２秒、１．４６秒、１．３３秒、１．２２秒の９段階である。このような揺動速度で揺動している状態から所定パターンの揺動停止動作に入ると、まず１段階速度を減速する。そして例えば２０秒経過後に、更に１段階減速する。そして更に例えば２０秒経過後に１段階減速し、更に例えば１０秒経過後に１段階減速し、そして更に例えば１０秒経過後に揺動は完全に停止する。
ここで、各段階の周期は定数値ではなく、任意に設定される揺動速度によって変わる変数値である。
【００２２】
また、このような揺動停止パターンに従って減速中に泣き声が感知された場合、予め設定している揺動時間（例えば１５分間）はリセットされて最初から計時される即ち、揺動残り時間は予め設定されている時間（例えば１５分間）に戻ったうえで、感知からの所定時間（例えば３０秒間）もリセットされて最初から計時される即ち、再度、３０秒間、減速した状態の速度ではなく予め設定された速度よりも２段階速い速度で揺動を行う。
【００２３】
また、泣き声センサは、無効／有効の切り替えが可能であり、泣き声センサを無効に切り替えた場合を説明する。コントローラの「運転」ボタンを押して、予め設定された揺動速度でベビーベッドの床板が揺動する。揺動中、時間と速度はコントローラで任意に変更可能である。また、揺動中に「強揺れ」ボタンを押すと、例えば３０秒間、速度が予め設定された揺動速度よりも２段階速い状態で揺動し、３０秒経過後に元の速度に戻る。そして、予め設定された揺動時間経過後（揺動残り時間が０）、所定の揺動停止パターンに従ってベッドの床板の揺れが停止する。
【００２４】
ここで、人体情報を感知して揺動手段による揺動を開始させるセンサとして、泣き声センサを例に挙げて説明したが、人体情報を感知して揺動手段による揺動を開始させるものであれば、必ずしも泣き声センサでなくてもよく、例えば、乳児の体温を感知して揺動手段による揺動を開始させる温度センサ、乳児の動きを感知して揺動手段による揺動を開始させる動作センサを用いてもよい。
【００２５】
図３は、本発明を適用したベビーベッドの上部部材を動かした状態を説明する概略図である。図３（ａ）は、上部部材を滑走させて、囲い部材の高さが低くなっている前側に上部部材を位置させた状態を示しており、このように上部部材を位置させることで、乳児が立ち上がってもベビーベッド１からの転落を防止できる。
また、図３（ｂ）は、上部部材を滑走させて、前側よりも囲い部材の高さが高くなっている後側に上部部材を位置させた状態を示しており、このように上部部材を位置させることで、略垂直方向に滑走可能な前側囲い部材６を略垂直下向きに滑走させなくても、前側から乳児を容易にベッドに乗せたり降ろしたりできる。
【００２６】
図４は、本発明を適用したベビーベッドの前側囲い部材を略垂直下向きに滑走させた状態を説明する概略図である。略垂直下向きに滑走された前側囲い部材６の上縁は、床板上に載置された敷き布団８と略同じ高さに位置するため、前側から乳児を容易にベッドに乗せたり降ろしたりできる。
【００２７】
図５は、本発明を適用したベビーベッドの使用状態の一例を示す概略図である。室内の床からベビーベッド１の床板上に敷かれた敷き布団８までの高さは約３０ｃｍであり、図５に示すように、親１７は、前側囲い部材６を略垂直下向きに滑走させて、部屋の床に座りながら、ベビーベッド１の敷き布団８に寝かされた乳児をあやすことができる。
【００２８】
以上のように、本発明のベビーベッドは、モータ等の揺動手段が、所定パターンに制御した後に床板の揺動を停止させるので、揺動の突然停止を防止でき、よって、乳児が心地よいと感じる揺動の突然停止を防止できるので、乳児に不快感を与えにくい。その結果、乳児が泣く回数も減少し、親の育児負担も軽減できる。
【００２９】
また、本発明のベビーベッドは、所定パターンが、経時的に揺動速度が減少する複数の段階を有するので、揺動の変化を乳児に感じさせにくくすることができ、乳児は心地よい揺れを感じたまま眠りにつくことができる。
【００３０】
また、本発明のベビーベッドは、泣き声センサが泣き声を感知して揺動手段による揺動を開始させ、センサによる感知から所定時間が経過するまでの揺動手段の揺動周期が、所定時間が経過後の揺動手段の揺動周期よりも短いので、夜泣きを感知してすぐに揺動速度を速めることで、泣くことを止めさせ、そして揺動速度を遅くすることで心地よい揺れ状態にして、そのまま眠りにつかせることができる。
【００３１】
また、本発明のベビーベッドは、囲い部材に形成された開口部に取付けられて開口部を覆う、内部を透視可能な柔軟部材によって、乳児がぶつかっても柔らかいので怪我をする可能性が低く、内部を透視可能なので母親も乳児の様子を外部から見ることができて安心である。
また、本発明のベビーベッドは、前側囲い部材の高さが他の囲い部材の高さよりも低いので、前側囲い部材側から乳児をベッドに容易に乗せたり、ベッドから降ろしたりできる。
また、前側囲い部材は略垂直方向に滑走可能なので、前側囲い部材を略垂直下向きへ滑走させて、乳児をベッドに更に容易に乗せたり、ベッドから降ろしたりできる。
また、上部部材を、前側囲い部材側へ滑走させて、乳児が立ち上がってもベビーベッドからの転落を防止できる。
【図面の簡単な説明】
【００３２】
【図１】本発明を適用したベビーベッドを説明する概略図である。
【図２】本発明を適用したベビーベッドの概略断面図である。
【図３】本発明を適用したベビーベッドの上部部材を動かした状態を説明する概略図である。
【図４】本発明を適用したベビーベッドの前側囲い部材を略垂直下向きに滑走させた状態を説明する概略図である。
【図５】本発明を適用したベビーベッドの使用状態の一例を示す概略図である。
【図６】従来の乳児用ベッドを示す概略図である。
【符号の説明】
【００３３】
１    ベビーベッド
２    床板
３    モータ
３Ａ  プログラマブルコントローラ
３Ｂ  インバータ
３Ｃ  モータプレート
４    囲い部材
５    上部部材
６    前側囲い部材
７    ネット
８    敷き布団
９    車輪
１０    ストッパー
１１    コントローラ
１２    収納体
１２Ａ  非常停止ボタン
１３    コンデンサーマイク
１４    すのこ
１５    回転リンク
１５Ａ  揺動コロ
１５Ｂ  揺動プレート
１６    泣き声センサ
１７    親
１８    乳児
【図１】
2009131469.tif 000003
【図２】
2009131469.tif 000004
【図３】
2009131469.tif 000005
【図４】
2009131469.tif 000006
【図５】
2009131469.tif 000007
【図６】
2009131469.tif 000008